(57)【要約】【課題】ユーザによるＤＡＰ１０の使用開始及び使用終了を検出して対応の処理を自動的に実施するようにする。また、この自動処理は、コード１７の巻き取り機構を装備しないＤＡＰ１０にも適用可能とするとともに、ユーザが忙しい時にコード１７の巻取らずにヘッドホン１２をしまう場合にも、適切に実施できるようにする。【解決手段】ヘッドホン１２の左側の装着部１８Ｌに磁気センサ４０を配備する。ユーザは楽曲の聴取を中止する場合には、装着部１８Ｒ，Ｌを耳から外して、ヘッドホン１２を収納する。その時、装着部１８Ｒの磁石３７が磁気センサ４０に近接するので、磁気センサ４０に励磁電流が流れる。センサ信号解析部３０は磁気センサ４０からの入力電流の大きさ及び符号に基づき装着部１８Ｒ，Ｌが相互に近接したことを検出すると、楽曲の再生を停止したり、ＤＡＰ１０の電源を切ったりする。【選択図】図２
2009267676.tif 000002
【特許請求の範囲】
【請求項１】
オーディオ装置本体へ接続されていて該オーディオ装置本体において再生される音声信号が供給されるヘッドホンの左右の装着部間の距離変化を検知する検知手段、及び
前記左右の装着部間の距離変化を前記検知手段が検知したときは前記音声信号の再生に関わる処理を実施する処理手段、
を備えることを特徴とするオーディオ装置。
【請求項２】
前記検知手段が検知する距離変化は左右の装着部に内蔵される、音声信号を振動に変換するドライバユニットに用いられている磁石が発する磁気を用い、相互の近接及び／又は離間を検知することを特徴とする請求項１記載のオーディオ装置。
【請求項３】
前記処理手段による近接に係る音声信号の再生に関わる処理は、前記オーディオ装置における音声信号の再生の停止又は前記オーディオ装置の電源の切であることを特徴とする請求項２記載のオーディオ装置。
【請求項４】
前記処理手段による離間に係る音声信号の再生に関わる処理は前記オーディオ装置における音声信号の再生開始であることを特徴とする請求項２又は３記載のオーディオ装置。
【請求項５】
前記検知手段は、
左右いずれか一方の装着部に装着された磁気センサを備え、
前記磁気センサと、他方の装着部内に設けられた前記ドライバユニットに用いられている磁石に対する近接及び／又は離間を検知することを特徴とする請求項２〜４のいずれかに記載のオーディオ装置。
【請求項６】
前記検知手段は、
前記オーディオ装置本体に配備されて前記再生される音声信号を増幅して前記ドライバユニットへ供給するオーディオアンプについて、前記ドライバユニットに用いられている磁石が発する磁気に伴う信号の変化に基づき、その入力信号及び出力信号のレベル比を算出するレベル比算出手段と、
前記レベル比算出手段が算出したレベル比の変化を監視する監視手段と、
を備えることを特徴とする請求項２〜４のいずれかに記載のオーディオ装置。
【請求項７】
オーディオ装置本体へ接続されていて該オーディオ装置本体において再生される音声信号を供給されるヘッドホンの左右の装着部の距離変化を検知する検知ステップ、及び
前記左右の装着部間が距離変化したことを前記検知ステップにおいて検知したときは前記音声信号の再生に関わる処理を実施する処理ステップ、
を備えることを特徴とするオーディオ装置制御方法。
【発明の詳細な説明】
【技術分野】
【０００１】
本発明は、ヘッドホンを装備するオーディオ装置及びその制御方法に関する。
【背景技術】
【０００２】
特許文献１は、音楽再生機能付き携帯電話機を開示する（特許文献１の段落００１２）。該携帯電話機は、電話機本体にコードを介して接続されるイヤホンを装備するとともに（特許文献１の図２及び図５）、コードの伸長状態を検出する検出器を装備する（特許文献１の段落００１８）。そして、ユーザがイヤホンを耳に当てるために、イヤホンと共にコードを電話機本体から引き出すと、自動的に音楽再生を開始し（特許文献１の段落００３２）、コードを電話機本体内へ巻戻すと、再生中の音楽が自動停止するようになっている（特許文献１の段落００２５）。
【特許文献１】特開２００８−１７２６７号公報
【発明の開示】
【発明が解決しようとする課題】
【０００３】
特許文献１の音楽自動停止、自動再生は、装置本体からコードを引き出したり、巻戻ししたりする機構付きオーディオ装置への適用に限定され、巻戻し機構を装備せず、コードを引き出したり、巻戻ししたりしないオーディオ装置への適用は困難である。また、コードの巻戻しは、安価なオーディオ装置では手動となっており、手間と時間を要し、ユーザは、忙しい時にはコードを巻戻しせずに引き出したままヘッドホンをオーディオ装置本体と共にポケット等にしまい込むことが多く、その場合、特許文献１のオーディオ装置では、再生が停止することなく継続してしまう。なお、本明細書において、ヘッドホンには、イヤホンも含むものとして使用する。
【０００４】
本発明の目的は、ヘッドホンの使用状態に対応して適切に音声信号の再生に関わる処理を実施することができるようにしたオーディオ装置及びその制御方法を提供することである。
【課題を解決するための手段】
【０００５】
ユーザは、オーディオ装置の使用開始の際はヘッドホンの左右の装着部を耳に装着し、使用終了の際は左右の装着部を耳から外す。本発明は、この時の左右の装着部間の距離に着目する。本発明によれば、左右の装着部の相互の距離変化を例えば磁気センサや再生電流の変化等から検出する。そして、左右の装着部の距離変化に対応させて、音声信号の再生に関わる処理を実施する。
【０００６】
本発明のオーディオ装置は次のものを備えている。
オーディオ装置本体へ接続されていて該オーディオ装置本体において再生される音声信号が供給されるヘッドホンの左右の装着部間の距離変化を検知する検知手段、及び
前記左右の装着部間の距離変化を前記検知手段が検知したときは前記音声信号の再生に関わる処理を実施する処理手段。
【０００７】
本発明のオーディオ装置制御方法は次のステップを備えている。
オーディオ装置本体へ接続されていて該オーディオ装置本体において再生される音声信号を供給されるヘッドホンの左右の装着部の距離変化を検知する検知ステップ、及び
前記左右の装着部間が距離変化したことを前記検知ステップにおいて検知したときは前記音声信号の再生に関わる処理を実施する処理ステップ。
【発明の効果】
【０００８】
本発明によれば、ヘッドホンの使用状態に対応して適切に音声信号の再生に関わる処理を実施することができる。
【発明を実施するための最良の形態】
【０００９】
図１はＤＡＰ（Digital Audio Player）１０の外観図である。ＤＡＰ１０は、本体１１と、該本体１１に着脱自在に接続されるヘッドホン１２とを有している。図示のヘッドホン１２は、インナーイアー式であるが、ヘッドバンド式であってもよい。
【００１０】
本体１１には表示部１４及び操作部１５が配備される。表示部１４は、ＬＣＤ（Liquid Crystal Display）等の表示デバイスから成り、音楽処理に係る各種情報が表示される。操作部１５はユーザにより操作され、ユーザは、操作部１５を使ってＤＡＰ１０に対するユーザ指示を出す。
【００１１】
ヘッドホン１２は、コード１７と、コード１７の先端側に結合し、ユーザの耳に装着する右及び左の装着部１８Ｒ，Ｌとを備えている。装着部１８Ｒ、Ｌ内には図示しない、ドライバユニットが内蔵されている。コード１７の基端側にはプラグ（図示せず）が装備され、該プラグは本体１１のジャック（図示せず）に分離自在に装着される。ユーザは、ＤＡＰ１０のメモリ部２３（図２）に再生データがファイル形式で格納されている楽曲を聞く時は、ヘッドホン１２のプラグを本体１１のジャックに差し込み、かつ装着部１８Ｒ，Ｌをそれぞれ右耳及び左耳に着ける。
【００１２】
図２は装着部１８Ｒ，Ｌの相互の近接及び離間を磁気センサ４０により検出するＤＡＰ１０における信号処理関連のブロック図である。メモリ部２３はフラッシュメモリやハードディスク装置等の不揮発性メモリから成り、多数の音楽ファイルをＭＰ３やＷＭＡのファイル形式で格納している。ＤＳＰ（Digital Signal Processor）部２４は、イコライザ等２５を備え、制御マイコン２８からの制御信号に基づき再生対象の音楽ファイルをメモリ部２３から読み出して、オーディオデータを生成する。該オーディオデータはイコライザ等２５の処理を経てアンプ部２９へ出力される。
【００１３】
アンプ部２９は、デジタルアナログ変換器（ＤＡＣ：Digital Analogue Converter）、音量調整部（Ｖｏｌ）、ヘッドホンアンブ（ＨＰ  ＡＭＰ）を備えている。アンプ部２９は、音量等に係る制御信号を制御マイコン２８から受ける。アンプ部２９は、アナログの左右オーディオ信号をヘッドホン１２へ供給する。センサ信号解析部３０は、後述の磁気センサ４０から供給された検知信号から近接及び離間を解析して（詳細は後述）、解析結果を制御マイコン２８へ送る。
【００１４】
制御マイコン２８は、操作部１５からユーザ操作に係る情報、ＤＳＰ部２４から音楽ファイルのタグ情報等、及びセンサ信号解析部３０から装着部１８Ｒ，Ｌの近接等に係る情報を受けて、それら情報に基づき所定の処理を実施して、制御信号を表示部１４、ＤＳＰ部２４及びアンプ部２９へ送る。表示部１４は、制御マイコン２８から表示信号に係る制御信号を受けて、情報を表示する。
【００１５】
装着部１８Ｒはドライバユニット３５を内蔵する。ドライバユニット３５は、振動板（図示せず）、該振動板と一体変位するボイスコイル３６、及び該ボイスコイル３６に付与する所定の磁場を生成する磁石３７を装備する。アンプ部２９からのオーディオ信号は、ドライバユニット３５へ供給され、ドライバユニット３５の振動板を振動させて、音に変換される。
【００１６】
装着部１８Ｌは、装着部１８Ｒが有する全部の素子に加えて、さらに磁気センサ４０を備える。磁気センサ４０は、装着部１８Ｒに内蔵されているドライバユニットが装備する磁石３７との距離が変化する時に、電流を生成する。装着部１８Ｒの磁石３７の磁場は、磁石３７に近くなるほど、増大するので、装着部１８Ｌの磁気センサ４０が、装着部１８Ｒの磁石３７から所定距離内範囲にあって、装着部１８Ｒへ近接したり、離間したりすると、絶対値が所定値以上となる電流が磁気センサ４０に生成される。また、該電流の向きは、近接時と離間時とでは相互に逆になる。したがって、磁気センサ４０の出力電流の大きさ及び向きから、装着部１８Ｒ，Ｌのおおよその相互距離、近接及び離間を検出することができる。なお、磁気センサ４０は、装着部１８Ｌに装備する代わりに、装着部１８Ｒに装備することもできる。
【００１７】
一方、ユーザは、装着部１８Ｒ，Ｌを両耳に当てている場合には、装着部１８Ｒ，Ｌ間の距離は大きく、装着部１８Ｒ，Ｌを両耳から外した場合や、コード１７を本体１１と共にポケットやかばん等にしまう場合には、装着部１８Ｒ，Ｌ間の距離は狭められる。したがって、センサ信号解析部３０は、磁気センサ４０における生成電流の大きさ及び向きに基づき、ユーザがヘッドホンによる音声の聴取を開始したか、終了したかを検出することができる。
【００１８】
図３は装着部１８Ｒ，Ｌの相互の近接及び離間をセンサ信号解析部３０の入出力信号のレベル比により検出するＤＡＰ１０における信号処理関連のブロック図である。図３において図２に図示した素子と対応する素子は同符号で指示して、説明は省略し、相違点についてのみ説明する。
【００１９】
図３のＤＡＰ１０では、図２のＤＡＰ１０におけるセンサ信号解析部３０及び磁気センサ４０が省略される。代わりに、センサ信号解析部３０から装着部１８Ｒへの信号線の信号レベルがＤＳＰ部２４へ送られる。
【００２０】
ＤＳＰ部２４からアンプ部２９へ送る右チャネルのオーディオ信号を信号ａ、アンプ部２９から装着部１８Ｒへ送る信号を信号ｂと名付ける。信号ａはデジタル信号であり、信号ｂはアナログ信号のため、直接のレベル対比が困難である。したがって、ＤＳＰ部２４は、信号ａについてアナログ換算したレベルを算出したり、信号ｂについてデジタル換算したレベルを算出したりして、両信号の形式を揃えてから、信号ａ，ｂのレベル比Ａ／Ｂを算出する。
【００２１】
装着部１８Ｒ，Ｌ間の距離に変化がない場合は、Ａ／Ｂは一定を維持するが、距離に変化が生じると、装着部１８Ｒにおけるオーディオ信号線に微弱な励磁電流が流れ、この結果、Ａ／Ｂが変化する。また、この時のＡ／Ｂの変化の向きは、近接時と離間時とで相互に逆になっている。ＤＳＰ部２４は、Ａ／Ｂに基づき装着部１８Ｒ，Ｌの相互の近接及び離間を検知し、検知した情報を制御マイコン２８へ送る。
【００２２】
なお、楽曲の再生を停止している期間においても、装着部１８Ｒ，Ｌ間の距離が変化すると、Ｂのレベルが変化する。したがって、楽曲の再生音信号が装着部１８Ｒへ供給されていない期間であっても、ＤＡＰ１０の電源が入の状態となっていて、ＤＳＰ部２４及び制御マイコン２８が作動状態になっていれば。装着部１８Ｒ，Ｌ間の近接及び離間を検出することができる。
【００２３】
図４はヘッドバンド式ヘッドホン１２に適用される再生制御方法５０のフローチャートである。ヘッドバンド式ヘッドホン１２では、ヘッドホン１２が、ユーザのヘッドから外されて、外力無しの状態では、ヘッドバンドのばね力により、装着部１８Ｒ，Ｌ間の距離は狭まっている。これに対して、ユーザがヘッドホン１２をヘッドにマウントして、装着部１８Ｒ，Ｌが右及び左の耳に当てた状態では、右及び左の装着部１８Ｒ，Ｌは、ヘッドバンドのばね力に抗して、拡開され、装着部１８Ｒ，Ｌ間の距離は広がっている。
【００２４】
なお、ヘッドバンド式ヘッドホン１２において、ユーザは、ヘッドホン１２を頭部に装着している際は、装着部１８Ｒ，Ｌが離間されている状態であり、ユーザがヘッドホン１２を頭部から外した後は、通常、装着部１８Ｒ，Ｌがヘッドバンドのバネ力によって近接した状態が維持されるため、この近接した際に生じる、磁気センサ４０や信号ａおよび信号ｂのレベル比を検出し、ヘッドホン１２の取り外しと検知する。
【００２５】
同様に、ユーザは、装着部１８Ｒ，Ｌを頭部に装着する時、通常近接状態にある装着部１８Ｒ，Ｌを、ヘッドバンドのバネ力に対抗して広げることにより、頭部に装着する。この離間した際に生じる、磁気センサ４０や信号ａおよび信号ｂのレベル比を検出し、ヘッドホン１２の装着と検知する。
【００２６】
Ｓ５１では、楽曲を再生開始したか否かを判定し、判定が正となりしだい、Ｓ５２へ進む。楽曲の再生開始は、ユーザが操作部１５の再生開始キーを操作した時である。また、ユーザは再生開始キーの操作に先立って、ヘッドホン１２を装着している。
【００２７】
Ｓ５２では、装着部１８Ｒ，Ｌ同士の近接を検知したか否かを判定し、判定が正になりしだい、Ｓ５３へ進む。装着部１８Ｒ，Ｌ同士の近接が検知されるのは、ユーザがヘッドホン１２を頭部から外す時である。この時、装着部１８Ｒ，Ｌはヘッドバンドのばね力により相互に近接し、このことが図２のセンサ信号解析部３０又は図３のＤＳＰ部２４により検知される。
【００２８】
Ｓ５３では、再生中の楽曲を一時停止する。Ｓ５４では、装着部１８Ｒ，Ｌ同士の離間を検知したか否かを判定し、判定が正であれば、Ｓ５５へ進み、否であれば、Ｓ５６へ進む。装着部１８Ｒ，Ｌ同士の離間が検知されるのは、ユーザが、ヘッドバンド式ヘッドホン１２を頭部に装着する時である。この時、装着部１８Ｒ，Ｌはヘッドバンドのばね力に抗して相互に離間し、このことが図２のセンサ信号解析部３０又は図３のＤＳＰ部２４により検知される。
【００２９】
Ｓ５５では、一時停止を解除する。すなわち、Ｓ５３において一時停止していた楽曲がその一時停止時の再生位置から再生を再開される。Ｓ５５の後、再生制御方法５０を終了する。また、この場合の再生開始は、装着部１８Ｒ，Ｌ間の距離の増大を検知したら直ちに再生開始するのではなく、所定時間の経過後に、再生開始をすることにして、ユーザが装着部１８Ｒ，Ｌを手で広げてから、頭部に装着して、楽曲を聞く体制が整うのを待つようにしてもよい。
【００３０】
一方、Ｓ５６では、Ｓ５３の一時処理後、所定時間が経過したか否かを判定する。そして、判定が正であれば、Ｓ５７へ進み、否であれば、Ｓ５４へ戻る。Ｓ５７では、停止処理を実施する。Ｓ５７での停止処理は、具体的には、ＤＡＰ１０の電源を入から切へ切替えることである。
【００３１】
図５はインナーイアー式ヘッドホン１２に適用される再生制御方法６０のフローチャートである。インナーイアー式ヘッドホン１２は、ユーザが使用する際、つまりユーザの左右の耳に装着しているときは、確実に装着部１８Ｒ，Ｌが離間された状態となっている。また、ユーザがインナーイアー式ヘッドホン１２を耳から外した際は、インナーイアー式ヘッドホン１２にはヘッドバンドが装着されていないため、装着部１８Ｒ，Ｌの間は、離間した状態も近接した状態も取りうる。このため、ユーザが装着部１８Ｒ，Ｌを近接させて収納した場合、例えばユーザのポケットに収納した場合や、専用ケースに収納した場合、さらには収納せずとも装着部１８Ｒ，Ｌ間を近接させた場合に対して、楽曲再生の停止処理を行う。
【００３２】
Ｓ６１では、楽曲を再生開始したか否かを判定し、判定が正となりしだい、Ｓ６２へ進む。楽曲の再生開始は、ユーザが操作部１５の再生開始キーを操作した時である。また、ユーザは再生開始キーの操作に先立って、装着部１８Ｒ，Ｌを耳に装着している。
【００３３】
なお、Ｓ６１の再生開始には、ユーザが収納していたヘッドホン１２の装着部１８Ｒ，Ｌを耳に装着する際の装着部１８Ｒ，Ｌ間の距離の増大をセンサ信号解析部３０（図２）又はＤＳＰ部２４（図３）が検知して、その検知に基づきＳ６１の再生開始を実施してもよいが、ヘッドバンドが無いインナーイアー式ヘッドホンの場合は、非装着時の離間と近接の状態が不安定であるため、非装着時における装着部１８Ｒ，Ｌ間の離間と近接を明確化する機構が必要である。
【００３４】
Ｓ６２では、装着部１８Ｒ，Ｌ同士の近接を検知したか否かを判定し、判定が正になりしだい、Ｓ６３へ進む。装着部１８Ｒ，Ｌ同士の近接が検知されるのは、ユーザが装着部１８Ｒ，Ｌを耳から外した後に生じる。装着部１８Ｒ，Ｌ同士の近接はセンサ信号解析部３０（図２）又はＤＳＰ部２４（図３）により検知される。
【００３５】
Ｓ６３では、再生中の楽曲を停止する。Ｓ６３の停止には、（ａ）図４のＳ５３の一時停止、すなわち次に再生開始する時に再生停止位置から再生する停止、（ｂ）図４のＳ５７の停止、すなわちＤＡＰ１０の電源を切にする停止、又は（ｃ）次に再生開始する時に再生停止した楽曲の頭から再生する停止とすることができる。Ｓ６３の後、再生制御方法６０を終了する。
【００３６】
図６はオーディオ装置７０のブロック図である。オーディオ装置７０の具体例は図１のＤＡＰ１０である。オーディオ装置７０は、ＤＡＰに限定されず、ＣＤプレーヤ等のその他の携帯型プレーヤや、据置き型又は車載型プレーヤであってもよい。オーディオ装置７０は、さらに、放送信号を受信して該放送信号から音を再生するチューナであってもよい。オーディオ装置７０は、単体ではなく、携帯電話機等に機能として装備されるものであってもよい。オーディオ装置７０は、検知手段７１及び処理手段７２を備えるが、検知手段７１が磁石７５および磁気センサ７６からなる場合は、検知手段７１はヘッドホン１２の装着部１８Ｒ、Ｌのいずれかに備える。
【００３７】
検知手段７１は、オーディオ装置本体へ接続されていて該オーディオ装置本体において再生される音声信号が供給されるヘッドホンの左右の装着部間の距離変化を検知する。処理手段７２は、左右の装着部間が距離変化したことを検知手段７１が検知したときは、距離変化に係る音声信号の再生に関わる処理を実施する。
【００３８】
検知手段７１が検知する距離変化は、典型的には、左右の装着部の相互の近接及び／又は離間である。処理手段７２による近接に係る音声信号の再生に関わる処理は、例えば、再生の停止又はオーディオ装置の電源の切である。再生の停止には、次の再生再開時に楽曲の再生停止位置から再生再開する一時停止を含む。
【００３９】
処理手段７２による離間に係る音声信号の再生に関わる処理は例えば再生開始である。該再生開始は、最初の再生開始と、一時的に再生を停止していた楽曲について再生を再開する再生開始との一方及び両方とすることかできる。
【００４０】
検知手段７１は磁石７５と磁気センサ７６とを含む。磁石７５は、左右双方の装着部におけるドライバユニットに用いられている磁石であり、そのうち一方のドライバユニットに用いられている磁石が、他方の磁気センサに反応する。磁気センサ７６は左右他方の装着部に内蔵される。磁石７５の具体例は、図２の装着部１８Ｒにおける磁石３７である。磁気センサ７６の具体例は図２の磁気センサ４０である。磁気センサ７６は、それへの磁石７５の近接及び離間に伴い生じる励磁電流から該近接及び該離間を検出することができる。
【００４１】
検知手段７１は、また、レベル比算出手段７８及び監視手段７９を含むことができる。レベル比算出手段７８は、オーディオ装置本体に配備されて再生音信号を増幅して左右一方のドライバユニットへ供給するオーディオアンプについて、その入力信号及び出力信号のレベル比を算出する。監視手段７９は、レベル比算出手段７８が算出したレベル比の変化を監視する。レベル比は、左右の装着部が相互に近接したり、離間したりした時に変化する。オーディオアンプの具体例は図３のアンプ部２９に含まれているヘッドホンアンプである。
【００４２】
こうして、オーディオ装置７０では、ユーザがオーディオ装置７０の使用開始及び／又は使用終了を左右の装着部の相互の近接及び／又は離間から検出して、使用開始及び／又は使用終了に係る対応処理を実施して、ユーザの操作の手間を省略することができる。
【００４３】
図７はオーディオ装置制御方法８０のフローチャートである。オーディオ装置制御方法８０はオーディオ装置７０に適用される。Ｓ８１では、オーディオ装置本体へ接続されていて該オーディオ装置本体において再生される音声信号を供給されるヘッドホンの左右の装着部の距離変化を検知したか否かを判定し、判定が正になりしだい、Ｓ８２へ進む。Ｓ８２では距離前記音声信号の再生に関わる処理を実施する。
【００４４】
Ｓ８１，Ｓ８２の処理は、オーディオ装置７０（図６）の検知手段７１及び処理手段７２の機能にそれぞれ対応している。したがって、検知手段７１及び処理手段７２の機能について述べた具体的態様はＳ８１，Ｓ８２の処理についての具体的態様としても適用可能である。
【００４５】
本明細書は様々な範囲及びレベルの発明を開示している。それら発明は、本明細書で説明した様々な技術的範囲及び具体的レベルの各装置及び各方法だけでなく、当業者の自明の範囲内で、各装置及び各方法から独立の作用、効果を奏する１つ又は複数の要素を抽出したものや、１つ又は複数の要素を自明の範囲で変更したものや、さらに、各装置間及び各方法間で１つ又は複数の要素の組合せを入れ換えたものを含む。
【図面の簡単な説明】
【００４６】
【図１】ＤＡＰの外観図である。
【図２】装着部の相互の近接及び離間を磁気センサにより検出するＤＡＰにおける信号処理関連のブロック図である。
【図３】装着部の相互の近接及び離間をセンサ信号解析部の入出力信号のレベル比により検出するＤＡＰにおける信号処理関連のブロック図である。
【図４】ヘッドバンド式ヘッドホンに適用される再生制御方法のフローチャートである。
【図５】インナーイアー式ヘッドホンに適用される再生制御方法のフローチャートである。
【図６】オーディオ装置のブロック図である。
【図７】オーディオ装置制御方法のフローチャートである。
【符号の説明】
【００４７】
７０：オーディオ装置、７１：検知手段、７２：処理手段、７５：磁石、７６：磁気センサ、７８：レベル比算出手段、７９：監視手段、８０：オーディオ装置制御方法。
【図１】
2009267676.tif 000003
【図２】
2009267676.tif 000004
【図３】
2009267676.tif 000005
【図４】
2009267676.tif 000006
【図５】
2009267676.tif 000007
【図６】
2009267676.tif 000008
【図７】
2009267676.tif 000009